(57)【要約】【課題】ＲＦ−ＩＤタグ用リーダーライターによる収納棚にある物品に貼付されたＲＦ−ＩＤタグの読み取り精度の向上を図る。【解決手段】本発明は、ＲＦ−ＩＤタグが貼付された物品を収納する収納棚の開口部以外の内壁面に磁性シートを貼付すること等により、ＲＦ−ＩＤタグ用リーダーライターよりの磁束が、隣の収納棚の区画中に及ばない。このため、ＲＦ−ＩＤタグ用リーダーライターが隣の区画に収納している物品に貼付しているＲＦ−ＩＤタグを読み取ることができないため、ＲＦ−ＩＤタグ用リーダーライターの読み取り対象区画にあるＲＦ−ＩＤタグしか読み取りできないことになる。以上により、上記課題の解決をはかるものである。【選択図】図１
2007323277.tif 000002
【特許請求の範囲】
【請求項１】
ＲＦ−ＩＤタグラベルが貼付した物品の収納棚であって、軟磁性材料と樹脂からなる柔軟性に富み衝撃に強いシート状のコア材の少なくとも片面に乳白ポリエステルフィルムを接着し、他方の面に粘着材を塗布した磁性シートを前記収納棚の開口部以外に内張したことを特徴とする磁性シート内張収納棚。
【請求項２】
請求項１に記載の磁性シート内張収納棚において、前記磁性シート内張収納棚の各区画に区画番号をＲＦ−ＩＤタグの不揮発性メモリーに記録しているＲＦ−ＩＤタグラベルを貼付し、前記磁性シート内張収納棚の各区画毎に収納している各物品にも物品名等をＲＦ−ＩＤタグの不揮発性メモリーに記録しているＲＦ−ＩＤタグラベルを貼付し、ＲＦ−ＩＤタグ用リーダーライターが前記区画番号及び前記物品名等を読み取ることにより、ＲＦ−ＩＤタグシステムでの前記磁性シート内張収納棚の各区画毎に収納している前記物品の物品名及び個数が容易なことを特徴とする磁性シート内張収納棚。
【請求項３】
請求項２に記載のＲＦ−ＩＤタグ用リーダーライターにおいて、前記ＲＦ−ＩＤタグ用リーダーライターのアンテナ部に請求項１に記載の磁性シートを内張したフードを装着し、前記ＲＦ−ＩＤタグ用リーダーライターの通信可能範囲が前記磁性シートを内張したフードの内面及び磁性シート内張収納棚の１区画内に一致させることを特徴とする磁性シート内張収納棚。
【発明の詳細な説明】
【技術分野】
【０００１】
発明は、ＲＦ−ＩＤタグシステムで利用するＲＦ−ＩＤタグラベルを貼付した物品を収納する収納棚に関するものである。
【背景技術】
【０００２】
ＲＦ−ＩＤ（無線周波数識別：Ｒａｄｉｏ  Ｆｒｅｑｕｅｎｃｙ−ＩＤｅｎｔｉｆｉｃａｔｉｏｎ）システムは、電磁波を使用して物品や人等の所在を検出するシステムで、流通分野及び物流分野等での普及が確実視されている。
特に、流通分野では、ＲＦ−ＩＤタグシステムを用いた商品陳列棚システムであるスマートシェルフが注目を浴びている。
スマートシェルフとは、ＲＦ−ＩＤタグ用リーダーライターを設置した商品陳列棚であり、個別に商品に貼付しているＲＦ−ＩＤタグを、常時、ＲＦ−ＩＤタグ用リーダーライターがリードすることで、リアルタイムに店頭での在庫管理が可能になるものである。
しかしながら、スマートシェルフに内蔵されたＲＦ−ＩＤタグ用リーダーライターが、例えば、隣のスマートシェルフに陳列されている商品に貼付しているＲＦ−ＩＤタグを読んでしまうことが指摘されている。
即ち、スマートシェルフでは、リアルタイムに店頭での在庫管理が可能であるが、どのスマートシェルフに個別にＲＦ−ＩＤタグが貼付している商品がいくつあるのかは、正確に把握できないこともある。
【０００３】
特許文献１の発明は、第１の平板状ガラスの一方の表面に導電性材料を接着または塗布、焼成して所定のＲＦ−ＩＤタグ用リーダーライターのアンテナパターンを形成後に上記第１の平板状ガラスのＲＦ−ＩＤタグ用リーダーライターのアンテナパターンを設けた側に中間層を挟んで第２の平板状ガラスを貼り合わせてなる棚板を紹介している。
そして、特許文献１の発明の実施形態としては、前記棚板に、そこに収容される物品に電子タグを付け、この物品の動きを管理するシステムについて紹介している。
さらに、特許文献１の発明は、ガラス板を支持体とするＲＦ−ＩＤタグ用アンテナであるため、ガラスは樹脂に比べて一般に耐候性が高く、耐水性、耐薬品性、耐熱性がいずれも高いので、商品自体が薬品など腐食性や有毒性などを有している場合に対応できるＲＦ−ＩＤタグ用リーダーライター用アンテナとして適していると紹介している。
また、ガラスは透明であり、表面を高い平坦性をもつように加工することができ、かつ、その状態を長期にわたって維持できるため、外観の意匠性にも優れた特徴を有している。
このため、店舗等に置く商品ケースなどにＲＦ−ＩＤシステムを導入する場合にも適していると紹介している。
【０００４】
【特許文献１】特開２００６−２５３０４号公報
【発明の開示】
【発明が解決しようとする課題】
【０００５】
しかしながら、特許文献１の発明は、ガラス板を支持体とするＲＦ−ＩＤタグ用アンテナを内蔵した棚板である。
このため、例えば、このガラス板を支持体とするＲＦ−ＩＤタグ用アンテナが複数個連結している場合では、一つのガラス板を支持体とするＲＦ−ＩＤタグ用アンテナが、隣のガラス板を支持体とするＲＦ−ＩＤタグ用アンテナを内蔵した棚板上にある商品に貼付されているＲＦ−ＩＤタグをリードしてしまうことを防止する手段について、開示も示唆もない発明である。
したがって、本発明は、ＲＦ−ＩＤタグ用リーダーライターが、隣の商品棚上にある商品に貼付されたＲＦ−ＩＤタグをリードする問題を解決しうる磁性シート内張収納棚を提供することを課題とする。
【課題を解決するための手段】
【０００６】
以下には、本発明の課題を解決するための手段を、まず、概説する。
ＲＦ−ＩＤタグとＲＦ−ＩＤタグ用リーダーライターは、電磁誘導を利用して、ＲＦ−ＩＤタグに起電力を発生させるとともに、ＲＦ−ＩＤタグとＲＦ−ＩＤタグ用リーダーライターの相互間での情報通信を行うものである。
したがって、ＲＦ−ＩＤタグ用リーダーライターよりの磁束は、本発明の磁性シート内張収納棚の磁性シート内に含まれるフェライト等の軟磁性体の中を通過するので、ＲＦ−ＩＤタグ用リーダーライターよりの磁束が、磁性シート内張収納棚の隣の区画に到達しない。
これにより、ＲＦ−ＩＤタグ用リーダーライターが、磁性シート内張収納棚の隣の区画に収納している物品に貼付しているＲＦ−ＩＤタグをリードできないことを利用して、課題の解決をはかるものである。
【０００７】
本発明の第１の態様は、ＲＦ−ＩＤタグラベルが貼付した物品の収納棚であって、軟磁性材料と樹脂からなる柔軟性に富み衝撃に強いシート状のコア材の少なくとも片面に乳白ポリエステルフィルムを接着し、他方の面に粘着材を塗布した磁性シートを前記収納棚の開口部以外に内張したことを特徴とする磁性シート内張収納棚である。
【０００８】
本発明の第２の態様は、第１の態様に記載の磁性シート内張収納棚において、前記磁性シート内張収納棚の各区画に区画番号をＲＦ−ＩＤタグの不揮発性メモリーに記録しているＲＦ−ＩＤタグラベルを貼付し、前記磁性シート内張収納棚の各区画毎に収納している各物品にも物品名等をＲＦ−ＩＤタグの不揮発性メモリーに記録しているＲＦ−ＩＤタグラベルを貼付し、ＲＦ−ＩＤタグ用リーダーライターが前記区画番号及び前記物品名等を読み取ることにより、ＲＦ−ＩＤタグシステムでの前記磁性シート内張収納棚の各区画毎に収納している前記物品の物品名及び個数が容易なことを特徴とする磁性シート内張収納棚である。
【０００９】
本発明の第３の態様は、第２の態様に記載のＲＦ−ＩＤタグ用リーダーライターにおいて、前記ＲＦ−ＩＤタグ用リーダーライターのアンテナ部に第１の態様に記載の磁性シートを内張したフードを装着し、前記ＲＦ−ＩＤタグ用リーダーライターの通信可能範囲が前記磁性シートを内張したフードの内面及び磁性シート内張収納棚の１区画内に一致させることを特徴とする磁性シート内張収納棚である。
【発明の効果】
【００１０】
本発明によれば、収納棚の各区画の開口部以外には磁性シートを内張することにより、収納棚の各区画ごとに収納されている各物品ごとに貼付しているＲＦ−ＩＤタグを、ＲＦ−ＩＤタグ用リーダーライターが確実にリードすることが可能になることである。
即ち、磁性シート内張収納棚の隣の区画に収納さている各物品ごとに貼付しているＲＦ−ＩＤタグを、ＲＦ−ＩＤタグ用リーダーライターが読まないことである。
さらに、本発明では、磁性シート内張フードをＲＦ−ＩＤタグ用リーダーライターのアンテナ部に装着する。ＲＦ−ＩＤタグ用リーダーライターの通信可能範囲は、磁性シート内張フードの内面及び磁性シート内張収納棚の区画内に一致させることで、磁性シート内張収納棚の隣の区画に収納さている各物品ごとに貼付しているＲＦ−ＩＤタグを、ＲＦ−ＩＤタグ用リーダーライターが読まないことの確実性を一層向上させることにある。
また、磁性シート内張収納棚の各区画には、区画番号を記録しているＲＦ−ＩＤタグを貼付し、磁性シート内張収納棚の各区画ごとに収納している各物品ごとに貼付しているＲＦ−ＩＤタグとともに、ＲＦ−ＩＤタグ用リーダーライターがリードすることにより、磁性シート内張収納棚の各区画に収納しているＲＦ−ＩＤタグが装着された物品の物品名及び計数が、ＲＦ−ＩＤタグシステムにより容易なことである。
【発明を実施するための最良の形態】
【００１１】
以下には、本発明の実施形態について、物品収納棚を例として、図とともに説明する。
図１は、本発明の磁性シート内張収納棚の外観説明図である。
図２は、本発明の磁性シート内張収納棚に使用する中板及びその他の構造板の断面図である。
図３は、磁性シートの断面形状の説明図である。
図４は、磁性シートの作用説明図である。
図５は、反磁界の発生説明図である。
図６は、本発明の磁性シート内張収納棚に物品収納箱を挿入した状態の説明図である。
図７は、本発明の磁性シート内張収納棚と磁性シート内張フード付きＲＦ−ＩＤタグ用リーダーライターの説明図である。
【００１２】
＜磁性シート内張収納棚＞
図１は、本発明の磁性シート内張収納棚１の外観説明図である。
図１で示す磁性シート内張収納棚１は、例示として、４つの区画に仕切っている収納棚を示している。
【００１３】
図２の上図には、磁性シート内張収納棚１で使用する中板２の断面構造を示している。中板２は、磁性シート３を両側に貼付している。
また、図２の下図には、磁性シート３が片面のみに貼付している磁性シート内張収納棚１の中板２以外の天板、底板、側板及び背面板に使用する構造板の断面構造を示している。
【００１４】
なお、図１の磁性シート内張収納棚１の上下に区画を仕切る中板２は、中板２の上下面に磁性シート３を両面に貼付し、中板２以外の磁性シート内張収納棚１の内側壁面には磁性シート３を貼付している構造板があるため、磁性シート内張収納棚１の前面開口部以外は全て磁性シート３が内張している状態になる。
【００１５】
また、図１の磁性シート内張収納棚１の各区画には、区画番地認識用ＲＦ−ＩＤタグラベル４ａを貼付する。
この区画番地認識用ＲＦ−ＩＤタグラベル４ａの不揮発性メモリーには、予め区画の番地を示す区画番地ＩＤコードを記録している。
【００１６】
本実施例では、ＩＳＯ／ＩＥＣ１５６９３等で規格化されているＲＦ−ＩＤタグシステムを活用する。
ＲＦ−ＩＤタグラベル４は、公知のＥＥＰＲＯＭ（Ｅｌｅｃｔｒｏｉｃａｌｌｙ
Ｅｒａｓａｂｌｅ  ａｎｄ  Ｐｒｏｇｕｒａｍｍａｂｌｅ  Ｒｅａｄ  Ｏｎｌｙ
Ｍｅｍｏｒｙ）等の不揮発メモリーを搭載したＲＦ−ＩＤタグ用チップのボンディングパットに公知のスタッドバンプを形成後、公知の異方性導電材料にて公知の透明ポリエステルシートの片面にアルミ製アンテナが形成されているアンテナシートのアンテナ接続パットに実装後に公知の方法でラベル化したものである。
【００１７】
図３は、磁性シート３の断面形状の説明図である。
磁性シート３は、フェライト等の軟磁性材料と樹脂からなる柔軟性に富み、衝撃に強いシート状のコア材５の片面に公知の乳白ポリエステルフィルム６を公知のドライラミネートで接着し、他方の面に公知のアクリル系粘着材７をコーティングして公知の剥離紙８を貼付して製造する。
なお、この磁性シート３の剥離紙８を剥離して収納棚の開口部以外に内張したものが、磁性シート内張収納棚１である。
【００１８】
図４は、本発明の磁性シート内張収納棚１に貼付する磁性シート３の作用を説明する概説図である。
ＲＦ−ＩＤタグ用リーダーライター９よりの磁束１０が、磁性シート内張収納棚１の中板等の構造材に貼付している磁性シート３内に含まれるフェライト等の軟磁性体中を通過する。
このため、ＲＦ−ＩＤタグ用リーダーライター９よりの磁束１０が、例えば、磁性シート内張収納棚１の下の区画に到達しない。
即ち、ＲＦ−ＩＤタグ用リーダーライター９が、磁性シート内張収納棚１の下の区画に収納している物品１１に貼付しているＲＦ−ＩＤタグ４をリードできないことになる。
【００１９】
なお、中板を含め磁性シート内張収納棚の材質は、ＲＦ−ＩＤタグ４とＲＦ−ＩＤタグ用リーダーライター９との間の電磁誘導を利用する情報通信等を阻害する金属材料１２であってもかまわない。
図５では、金属材料でも良い理由を、反磁界の発生の説明とともに概説する。
ＲＦ−ＩＤタグ４とＲＦ−ＩＤタグ用リーダーライター９との電磁誘導を利用する情報通信等の際に、ＲＦ−ＩＤタグ４の背面に金属材料１２があると、ＲＦ−ＩＤタグ用リーダーライター９のアンテナより発生する磁束１０が金属材料１２を貫通すると、図示はしていないが、ファラディの法則により磁束１０を軸とした渦電流が金属材料表面に流れる。
この渦電流の回転方向は、ＲＦ−ＩＤタグ用リーダーライター９のアンテナに発生する交流磁界（搬送波）の磁極方向と反対方向の磁界である反磁界１３を生み出す方向に流れる。
つまり、ＲＦ−ＩＤタグ用リーダーライター９より、ＲＦ−ＩＤタグ４に電磁誘導を利用する情報通信信号等（ＲＦ−ＩＤタグに電力を供給する搬送波と、その上に重ねられた情報を搬送する変調データ信号）のすべてが、金属材料１２の表面に誘起された反磁界１３に打ち消され、大きく減衰するためである。
しかしながら、磁性シート内張収納棚１は、図４に示す如く、磁性シート３に含まれるフェライト等の軟磁性体が、ＲＦ−ＩＤタグ４と磁性シート内張収納棚を構成する金属材料１２との間にあるため、ＲＦ−ＩＤ用リーダーライター９よりの磁束１０が磁性シート３に含まれるフェライト等の軟磁性体の中を通過し、磁性シート内張収納棚１を構成する金属材料表面１２に渦電流が発生しない。
このため、渦電流による反磁界１３の影響がないため、磁性シート内張収納棚１の材質が金属材料１２であってもかまわないのである。
【００２０】
＜物品収納箱＞
図６は、磁性シート内張収納棚１の各区画に物品収納箱１４を挿入している状態を示す図である。
それぞれの物品収納箱１４の全面には、予め物品収納箱用ＲＦ−ＩＤタグラベル４ｂを貼付する。この物品収納箱用ＲＦ−ＩＤタグラベル４ｂの不揮発性メモリーには、予め物品収納箱用ＩＤコードを記録する。
物品収納箱１４は、合成樹脂、紙、木材等のＲＦ−ＩＤタグ４とＲＦ−ＩＤタグ用リーダーライター９の電磁誘導を利用する情報通信等に影響がない材質で形成し、ＲＦ−ＩＤタグ用リーダーライター９よる物品収納箱内１４に収納する物品１１に貼付している物品用ＲＦ−ＩＤタグラベル４ｃの読み取りに支障がない材質で形成する。
【００２１】
図示はしていないが、物品収納箱１４内に収納する物品１１には、物品用ＲＦ−ＩＤタグラベル４ｃを貼付し、物品用ＲＦ−ＩＤタグラベル４ｃの不揮発性メモリーは、予め物品名等よりなる物品用ＩＤコードを記録する。
【００２２】
なお、ＲＦ−ＩＤタグシステムでは、ＲＦ−ＩＤタグ用リーダーライターでのＲＦ−ＩＤタグ４の一括リードが可能である。
ＲＦ−ＩＤタグ用リーダーライターでのＲＦ−ＩＤタグの一括リードを概説すると、ＲＦ−ＩＤタグ用リーダーライター９の通信可能領域にＲＦ−ＩＤタグ４が複数個入ったときには、ＲＦ−ＩＤタグ４より一斉に応答する。
これでは、ＲＦ−ＩＤタグ用リーダーライター９では、ＲＦ−ＩＤタグ４よりの応答データの衝突（コリジョン）が発生し、読み取り不能になる。
このため、ＲＦ−ＩＤタグ用リーダーライター９よりの問い合わせに応答するタイミングをＲＦ−ＩＤタグ４ごとに変えることにより、衝突防止（アンチコリジョン）をはかり、ＲＦ−ＩＤタグ用リーダーライター９での一括リードを可能としている。
【００２３】
このため、本発明の磁性シート内張収納棚では、ＲＦ−ＩＤタグシステムの一括リードの仕組みを利用して、計数が容易なことを特徴とする。
即ち、磁性シート内張収納棚１の区画番地認識用ＲＦ−ＩＤタグラベル４ａと、物品収納箱用ＲＦ−ＩＤタグラベル４ｂと、物品用ＲＦ−ＩＤタグラベル４ｃのそれぞれの不揮発性メモリーに記録しているそれぞれのＩＤコード等により、磁性シート内張収納棚１のどの区画に、どの物品収納箱１４が収納され、この物品収納箱１４にどのような物品１１がいくつ収納しているかが、ＲＦ−ＩＤタグ用リーダーライター９で一括リードが可能となる。
【００２４】
なお、ＲＦ−ＩＤタグ用リーダーライター９のＲＦ−ＩＤタグ用アンテナ部には、
磁性シートを内張した着脱可能なフード１５を装着する。
このフード１５の開口部は、磁性シート内張収納棚の１区画に相当する大きさとする。
磁性シート内張フード１５を装着したＲＦ−ＩＤタグ用リーダーライター９ａは、磁性シート内張フード１５の開口部を磁性シート内張収納棚の１区画に合わせて、使用する。
即ち、磁性シート内張フード１５の内側と磁性シート内張収納棚の１区画の内側が、ＲＦ−ＩＤタグ用リーダーライター９のアンテナ部の通信範囲内に一致させることにより、磁性シート内張収納棚１の１区画にある全てのＲＦ−ＩＤタグ４の確実な読み取りを可能にするためである。
【００２５】
なお、物品収納箱１４は、奥行きは、磁性シート内張収納棚１の各区画の奥行きと同等若しくは、短くする。
これは、磁性シート内張フード付きＲＦ−ＩＤタグ用リーダーライター９ａの使用時に磁性シート内張フード１５の開口部を磁性シート内張収納棚の１区画に合わせやするためである。
【００２６】
＜使用システム＞
磁性シート内張フード付きＲＦ−ＩＤタグ用リーダーライター９ａで磁性シート内張収納棚の各区画ごとにリードした結果は、磁性シート内張フード付きＲＦ−ＩＤタグ用リーダーライター９ａより、無線ＬＡＮで物品の管理システムを構築してあるパーソナルコンピュータに送信して利用する。
なお、ＲＦ−ＩＤタグ用リーダーライター９は、ハンディターミナルタイプが望ましい。
【００２７】
＜変形実施形態＞
本発明の磁性シート内張収納棚１は、前記の実施例に拘泥することなく、実施可能である。
電磁誘導の短波帯のＲＦ−ＩＤタグ４を中心に説明してきたが、ＵＨＦ帯やマイクロ波帯の電波利用のＲＦ−ＩＤタグ４であってもかまわない。
磁性シート３は、フェライト等の軟磁性材料と樹脂からなる柔軟性に富み、衝撃に強いシート状のコア材５の片面に公知の乳白ポリエステルフィルム６を公知のドライラミネートで接着し、他方の面に公知のアクリル系粘着材をコーティング７して公知の剥離紙８を貼付して形成すると説明したが、フェライト等の軟磁性材料と樹脂からなる柔軟性に富み、衝撃に強いシート状のコア材５の両面に公知の乳白ポリエステルフィルム６を公知のドライラミネートで接着し、一方の面に公知のアクリル系粘着材７をコーティングして公知の剥離紙８を貼付して形成しても良い。
磁性シートは、フェライト等の軟磁性材料で説明したが、アモルファス材料であってもかまわない。
また、磁性シート内張収納棚１の開口部には、アクリル板の合成樹脂等のＲＦ−ＩＤタグ４とＲＦ−ＩＤタグ用リーダーライター９の電磁誘導による情報通信等に影響を与えない材質よる扉を設置し、鍵が掛かるようにしてもかまわない。
例えば、宝石等の高額商品を陳列する商品陳列棚で、宝石等の高額商品にもＲＦ−ＩＤタグを貼付して置けば、扉を開かずに在庫確認が可能となり、棚卸しの効率化とセキュリティ上の配慮が同時に達成する。
【産業上の利用可能性】
【００２８】
本発明は、スマートシェルフとは異なりリアルタイムでの店頭在庫確認には対応していないが、収納棚の各区画ごとに収納されている物品の確実で容易な管理が可能である。
このため、ＲＦ−ＩＤタグシステムを利用する商品陳列棚、図書館等の書棚、ピンキング作業用部品収納棚などへの応用が可能である。
【図面の簡単な説明】
【００２９】
【図１】本発明の磁性シート内張収納棚の外観説明図
【図２】本発明の磁性シート内張収納棚に使用する中板及びその他の構造板の断面図
【図３】磁性シートの断面形状の説明図
【図４】磁性シートの作用説明図
【図５】反対方向磁界の発生説明図
【図６】本発明の磁性シート内張収納棚に物品収納箱を挿入した状態の説明図。
【図７】本発明の磁性シート内張収納棚と磁性シート内張フード付きＲＦ−ＩＤタグ用リーダーライターの説明図
【符号の説明】
【００３０】
１    ：磁性シート内張収納棚
２    ：中板
３    ：磁性シート
４    ：ＲＦ−ＩＤタグ
４ａ：区画番地認識用ＲＦ−ＩＤタグラベル
４ｂ：物品収納箱用ＲＦ−ＩＤタグラベル
４ｃ：物品用ＲＦ−ＩＤタグラベル
５    ：コア材
６    ：乳白ポリエステルフィルム
７    ：アクリル系粘着材
８    ：剥離紙
９    ：ＲＦ−ＩＤタグ用リーダーライター
９ａ：磁性シート内張フード付きＲＦ−ＩＤタグ用リーダーライター
１０    ：磁束
１１    ：物品
１２    ：金属材料
１３    ：反磁界
１４    ：物品収納箱
１５    ：磁性シート内張フード
【図１】
2007323277.tif 000003
【図２】
2007323277.tif 000004
【図３】
2007323277.tif 000005
【図４】
2007323277.tif 000006
【図５】
2007323277.tif 000007
【図６】
2007323277.tif 000008
【図７】
2007323277.tif 000009